(57)【要約】【課題】内部の温度上昇を抑制すると共に、発生した騒音がキャビネットの外部に漏れることを抑制することができるキャビネットを提供する。【解決手段】  キャビネット１００は、キャビネット本体１０と、扉１１と、仕切手段１２ａ，１２ｂと、吸気口１３と、排気口１４と、吸気路構成部材１５，１６と、取付部１７ａ，１７ｂ，１７ｃとから構成され、仕切手段１２ａ，１２ｂの間に、ＶＤＳＬ装置４０を配置する。これにより、ＶＤＳＬ装置４０の吸気部４１と排気部４２それぞれ独立の室に配置されるようにキャビネット本体１０の内部を吸気室１３０と排気室１４０の２つの部分に分ける。また、吸気通路２０は、クランク形状に形成され、かつ側壁に吸音材２１，２２，２３，２４，２５が設けられ、排気通路３０は、Ｌ字形に形成され、かつ側壁に吸音材３１，３２，３３が設けられる。【選択図】      図２
2007227686.tif 000002
【特許請求の範囲】
【請求項１】
吸気部と排気部を有して発熱性部品を搭載した機器を収納するためのキャビネット本体と、
前記キャビネット本体に設けられ、前記機器を冷却するための外気を導入する吸気口と、
前記キャビネット本体に設けられ、内部の熱気を排出する排気口と、
前記機器の吸気部と排気部をそれぞれ独立の室に配置されるように前記キャビネット本体の内部を吸気室と排気室の２つの部分に分ける仕切手段と、
前記吸気口から空気を吸い込み、前記排気口から排出する吸排気手段とを備え、
前記吸気口の内側に所定形状の吸気通路を形成し、前記排気口の内側に所定形状の排気通路を形成することを特徴とするキャビネット。
【請求項２】
前記吸気通路は、Ｌ字形またはクランク形状に形成され、かつ側壁に吸音材が設けられ、
前記排気通路は、Ｌ字形またはクランク形状に形成され、かつ側壁に吸音材が設けられることを特徴とする請求項１に記載のキャビネット。
【請求項３】
前記機器には、前記発熱性部品を冷却するためのファンが設けられ、
前記吸排気手段として、前記ファンが用いられることを特徴とする請求項１または請求項２に記載のキャビネット。
【請求項４】
前記キャビネット本体内に、複数の前記機器が、開閉可能な隔離板を介して重ねて配置され、
前記仕切手段は、前記複数の機器の吸気部と排気部それぞれ独立の室に配置されるように前記キャビネット本体の内部を吸気室と排気室の２つの部分に分けることを特徴とする請求項１ないし請求項３に記載のキャビネット。
【発明の詳細な説明】
【技術分野】
【０００１】
本発明は、発熱性電子部品を搭載した電子機器、例えばＶＤＳＬ(very high bit rate digital subscriber line)装置等を収納するためのキャビネットに関するものである。
【背景技術】
【０００２】
近年、パソコン等デジタル機器が一般的に普及しており、業務用としてはもちろん、一般的な家庭内においても急激に普及している。これにともない、オフィス、および家庭内の各部屋に設けられたデジタル機器をより便利に使用するため、これらを相互接続してネットワークを構築することが求められる。また、相互接続された機器間で送受信される情報は、大容量な音声や画像等であり、これらを伝送するためには高速伝送が可能な伝送媒体である石英系光ファイバやプラスチック光ファイバ等の光ファイバケーブルが使用される。
【０００３】
集合住宅や複合ビル等において、光ファイバケーブルを使用する場合、光ファイバケーブルを集合住宅や複合ビル等の共用部分まで配線し、光回線終端装置ＯＮＵ（Optical Network Unit）と集合型回線終端装置・ＶＤＳＬ集合装置（以下、ＶＤＳＬ装置という。）を介して、各部屋までをＬＡＮケーブルで接続して通信ネットワークを構成する方式が多数用いられている。
【０００４】
ＯＮＵは、光ファイバ加入者通信網において、パソコンなどの端末機器をネットワークに接続するための装置で、光ファイバの中を流れてきた光の信号を電気信号に変えたり、光ファイバへ送り出す電気信号を光の信号に変える働きをする。
【０００５】
従来、集合住宅や複合ビル等の場合、ＶＤＳＬ装置は、光回線終端装置ＯＮＵと共にキャビネットに収納され、集合住宅や複合ビル等の共用部分に配置される。ＶＤＳＬ装置が動作する際に、熱を発するため、キャビネットには換気等の冷却装置が必要となる。
【０００６】
また、直射日光による外からの熱と、内部から発生する熱による電子機器の悪影響を最小に抑える電子機器用キャビネットが提案されている（特許文献１参照）。
【０００７】
この場合、内部に電子機器Ｍが配置されたキャビネット本体の少なくとも前後左右面の内、少なくとも、一面及び上部を、内側パネルと、日除けとして機能する外側パネルの二重構造とし、その内側パネルと外側パネルとで、通風ダクトを形成する一方、前記通風ダクト内に冷却 風を流す排気フアンと前記通風ダクト内を流れる冷却 風によって熱交換を行なう放熱体とを備えた構造とし、直射日光による外からの熱は、外側パネルによって遮断する一方、内部からの熱は、放熱体に接触する接触時の熱交換によって冷却を行なう。
【０００８】
【特許文献１】特開２００１−１６８５６５号公報
【発明の開示】
【発明が解決しようとする課題】
【０００９】
しかしながら、ＶＤＳＬ装置には、通常吸気部、排気部、および冷却用ファンが装着されており、従来のＶＤＳＬ装置を収納するキャビネットに装着された場合、ＶＤＳＬ装置吸気部、排気部が同一空間にあるので、空気がキャビネットの内部で循環し、熱を外部へ排出するのが遅れることで、内部温度が上昇し、ＶＤＳＬ装置が正常に動作できなくなるという問題点があった。
【００１０】
また、ＶＤＳＬ装置が動作する際に、冷却用ファン等による騒音が発生するので、従来のＶＤＳＬ装置用キャビネットで収納する場合、この騒音がキャビネットの吸気口および排気口から外部へ漏洩する問題点があった。
【００１１】
また、従来のＶＤＳＬ装置を収納するキャビネットは、排気口にファンを設けるのが一般的である。そのため、キャビネットに装着されたファンによる排気騒音（ファンの風切音に起因する騒音）が発生するという欠点があった。同様に、上記した電子機器用キャビネットの場合も、排気口にファンを設けるので、ファンによる排気騒音が発生するという欠点があった。
【００１２】
そこで、本発明は、上述のような問題点を考慮してなされたもので、内部の温度上昇を抑制すると共に、発生した騒音がキャビネットの外部に漏れることを抑制することができるキャビネットを提供することを目的とする。
【課題を解決するための手段】
【００１３】
上記課題を解決するため、本発明に係るキャビネットは、吸気部と排気部を有し、発熱性電子部品を搭載した電子機器を収納するためのキャビネットにおいて、前面に開閉扉を有するキャビネット本体と、前記キャビネット本体に設けられ、前記機器を冷却するための外気を導入する吸気口と、前記キャビネット本体に設けられ、内部の熱気を排出する排気口と、前記機器の吸気部と排気部それぞれ独立の室に配置されるように前記キャビネット本体の内部を吸気室と排気室の２つの部分に分ける仕切手段と、前記吸気口から空気を吸い込み、前記排気口から排出する吸排気手段とを備え、前記吸気口の内側に所定形状の吸気通路を形成し、前記排気口の内側に所定形状の排気通路を形成するものである。
【００１４】
例えば、前記吸気通路は、クランク形状に形成され、かつ側壁に吸音材が設けられ、前記排気通路は、Ｌ字形またはクランク形状に形成され、かつ側壁に吸音材が設けられる。また、前記機器には、前記発熱性部品を冷却するためのファンが設けられ、前記吸排気手段として、前記ファンが用いられる。
【００１５】
また例えば、前記キャビネット本体内に、複数の前記機器が、開閉可能な隔離板を介して重ねて配置され、前記仕切手段は、前記複数の機器の吸気部と排気部それぞれ独立の室に配置されるように前記キャビネット本体の内部を吸気室と排気室の２つの部分に分ける。
【００１６】
本発明においては、収納される機器の吸気部と排気部それぞれ独立の室に配置されるようにキャビネット本体の内部を吸気室と排気室の２つの部分に分ける仕切手段と、吸気口から空気を吸い込み、排気口から排出する吸排気手段とを備え、吸気口の内側に所定形状の吸気通路を形成し、排気口の内側に所定形状の排気通路を形成する。これにより、空気がキャビネットの内部で循環することがなく、熱を素早く外部へ排出することができ、内部温度の上昇を抑制することが可能となる。そのため、収納される機器は温度上昇による正常に動作できなくなる問題を解消することが可能となる。
【００１７】
また、吸気通路は、クランク形状に形成され、かつ側壁に吸音材が設けられ、前記排気通路は、Ｌ字形またはクランク形状に形成され、かつ側壁に吸音材が設けられるので、冷却するための吸排気を行うことができると共に、騒音がキャビネットの吸気口および排気口から外部に漏れることを抑制することが可能となる。
【００１８】
また、吸排気手段は、機器内部に設けられるファンを用いることで、排気口に排気ファンを設けずに、冷却を行うことができ、排気ファンによる排気騒音の発生を回避することが可能となる。
【００１９】
また、開閉可能な隔離板を介して複数台の機器を重ねて設けることで、複数の通信システムを構成でき、大型集合住宅や複合ビル等への対応が容易になる。
【発明の効果】
【００２０】
本発明によれば、キャビネットは、吸気部と排気部を有し、発熱性電子部品を搭載した電子機器を収納するためのキャビネットにおいて、前面に開閉扉を有するキャビネット本体と、キャビネット本体に設けられ、機器を冷却するための外気を導入する吸気口と、キャビネット本体に設けられ、内部の熱気を排出する排気口と、機器の吸気部と排気部それぞれ独立の室に配置されるように前記キャビネット本体の内部を吸気室と排気室の２つの部分に分ける仕切手段と、吸気口から空気を吸い込み、排気口から排出する吸排気手段とを備え、吸気口の内側に所定形状の吸気通路を形成し、排気口の内側に所定形状の排気通路を形成するものであり、空気がキャビネットの内部で循環することがなく、熱を素早く外部へ排出することができ、内部温度の上昇を抑制することができる。そのため、収納される機器は温度上昇により正常に動作できなくなる問題を解消することができる。
【００２１】
また、吸気通路は、クランク形状に形成され、かつ側壁に吸音材が設けられ、排気通路は、Ｌ字形またはクランク形状に形成され、かつ側壁に吸音材が設けられるので、冷却するための吸排気を行うことができると共に、騒音がキャビネットの吸気口および排気口から外部に漏れることを抑制することができる。
【００２２】
また、吸排気手段は、機器の内部に設けられるファンを用いることで、排気口に排気ファンを設けずに、冷却を行うことができ、排気ファンによる排気騒音の発生を回避することができる。
【００２３】
また、複数台の機器を設けることができるため、大型集合住宅や複合ビル等への対応が容易にできる。
【発明を実施するための最良の形態】
【００２４】
本発明に係るキャビネットを実施するための最良の形態を、図を参照して説明する。ここで、発熱性部品を搭載した機器としてＶＤＳＬ装置を用いて説明する。
【００２５】
まず、本発明の第１の実施の形態のキャビネット１００について説明する。
図１は、第１の実施の形態のキャビネット１００の構成を示す斜視図である。図２は、キャビネット１００の構成を示す図である。図３は、キャビネット１００の底面を示す図である。図４は、キャビネット１００の構成を示すＣ−Ｃ断面図である。図５は、キャビネット本体１０の構成を示す図である。
【００２６】
図１〜図５に示すように、キャビネット１００は、キャビネット本体１０と、扉１１と、仕切手段１２ａ，１２ｂと、吸気口１３と、排気口１４と、吸気路構成部材１５，１６と、取付部１７ａ，１７ｂ，１７ｃとを備える。この場合、吸排気手段として、ＶＤＳＬ装置４０のファン４３が用いられる。
【００２７】
キャビネット本体１０は、背面板１０ａと、側面板１０ｂ，１０ｃ，１０ｄ，１０ｅとから構成される。背面板１０ａのほぼ中央部にＶＤＳＬ装置４０を取り付けるための取付部１７ａ，１７ｂ，１７ｃが設けられている。また、側面板１０ｃには、吸気口１３と排気口１４とが設けられている。また、図４に示すように、背面板１０ａには、仕切手段１２ａ，１２ｂを取り付けるためのＬ字形固定具１２０ａ，１２０ｂ、吸気路構成部材１５，１６を取り付けるためのＬ字形固定具１５０，１６０が設けられている。また、光回線終端装置ＯＮＵ５０を取り付けるための取付穴５０１，５０２，５０３，５０４が設けられている。
【００２８】
キャビネット本体１０の内部に、仕切手段１２ａ，１２ｂが設けられている。仕切手段１２ａ，１２ｂの間に、ＶＤＳＬ装置４０を配置する。これにより、ＶＤＳＬ装置４０の吸気部４１と排気部４２それぞれ独立の室に配置されるようにキャビネット本体１０の内部を吸気室１３０と排気室１４０の２つの部分に分ける（図１、図３及び図４参照）。吸気室１３０には光回線終端装置ＯＮＵ５０等が配置される。
【００２９】
扉１１は、蝶番Ａを介してキャビネット本体１０に開閉可能に配置される。扉１１の内側に吸音材１１ａが、貼り付けられている。また、図３に示すように、キャビネット１００の底面には、電源ケーブル、通信用ケーブル等を引き込む用穴１９ａ，１９ｂ，１９ｃが設けられている。
【００３０】
また、吸気路構成部材１５，１６は、吸気口１３の内側に設けられている。吸気路構成部材１５，１６によりクランク形状の吸気通路２０が形成される。吸気路構成部材１５，１６の表面には、吸音材２２，２３，２４，２５が貼り付けられている。また吸気口１３の内側の側壁に吸音材２１が貼り付けられている。吸音材には、例えば発泡ウレタンが用いられる。
【００３１】
また、排気口１４の内側に、仕切手段１２およびＶＤＳＬ装置４０の側面によりＬ字形の排気通路３０が形成される。排気通路３０の側壁には、吸音材３１，３２，３３が貼り付けられている。
【００３２】
また、ＶＤＳＬ装置４０を冷却する際に、ＶＤＳＬ装置４０のファン４３により、図２中の矢印に示すように、冷却空気は吸気口１３より吸い込まれ、吸気通路２０を経由して、ＶＤＳＬ装置４０の吸気部４１からＶＤＳＬ装置４０の内部に入り、排気部４２より排出され、排気通路３０を通過して排気口１４より排出される。
【００３３】
このように本実施の形態においては、キャビネット１００は、キャビネット本体１０と、扉１１と、仕切手段１２ａ，１２ｂと、吸気口１３と、排気口１４と、吸気路構成部材１５，１６と、取付部１７ａ，１７ｂ，１７ｃとから構成され、仕切手段１２ａ，１２ｂの間に、ＶＤＳＬ装置４０を配置する。これにより、ＶＤＳＬ装置４０の吸気部４１と排気部４２それぞれ独立の室に配置されるようにキャビネット本体１０の内部を吸気室１３０と排気室１４０の２つの部分に分ける。
【００３４】
これにより、空気がキャビネット１００の内部で循環することがなく、熱を素早く外部へ排出することができ、内部温度の上昇を抑制することができる。そのため、収納される機器は温度上昇により正常に動作できなくなる問題を解消することができる。
【００３５】
また、吸気通路２０は、クランク形状に形成され、かつ側壁に吸音材２１，２２，２３，２４，２５が設けられ、排気通路３０は、Ｌ字形に形成され、かつ側壁に吸音材３１，３２，３３が設けられるので、冷却するための吸排気を行うことができると共に、騒音がキャビネットの吸気口１３および排気口１４から外部に漏れることを抑制することができる。
【００３６】
また、吸排気手段としては、ＶＤＳＬ装置４０の内部に設けられるファン４３を用いることで、排気口１４に排気ファンを設けずに、冷却を行うことができ、排気ファンによる排気騒音の発生を回避することができる。
【００３７】
以下、本発明の第２の実施の形態のキャビネット２００について説明する。
図６は、第２の実施の形態のキャビネット２００の構成を示す図である。図６に示すように、キャビネット２００は、キャビネット本体１０と、扉１１（図１、図４参照）と、仕切手段１２ａ，１２ｂと、吸気口１３と、排気口１４と、吸気路構成部材１５，１６と、取付部１７ａ，１７ｂ，１７ｃと、吸排気手段としてのファン８０とから構成される。
【００３８】
この場合、吸気部と排気部を有し、発熱性部品を搭載した機器、例えばＶＤＳＬ装置４０には、冷却ファンを有しない。吸排気手段としてファン８０が用いられる。このファン８０はＶＤＳＬ装置４０の排気部４２の付近の排気通路３０上に設けられている。
【００３９】
また、この例において、排気通路３０に排気路構成部材１８，１９を設けることで、排気通路３０の一部がクランク形状に形成される。排気路構成部材１８，１９の表面には、吸音材３４，３５が貼り付けられている。吸音材には、例えば発泡ウレタンが用いられる。
【００４０】
また、吸排気手段としてファン８０が用いることと、排気通路３０の一部がクランク形状に形成されること以外の構成は、上述した第１の実施の形態のキャビネット１００と同じである。ここで、詳細の説明を省略する。
【００４１】
ＶＤＳＬ装置４０を冷却する際に、ファン８０により、図４中の矢印に示すように、冷却空気は吸気口１３より吸い込まれ、吸気通路２０を経由して、ＶＤＳＬ装置４０の吸気部４１からＶＤＳＬ装置４０の内部に入り、排気部４２より排出され、排気通路３０を通過して排気口１４より排出される。
【００４２】
このように本実施の形態においては、キャビネット２００は、キャビネット本体１０と、扉１１と、仕切手段１２ａ，１２ｂと、吸気口１３と、排気口１４と、吸気路構成部材１５，１６と、取付部１７ａ，１７ｂ，１７ｃと、吸排気手段としてのファン８０とから構成され、仕切手段１２ａ，１２ｂの間に、ＶＤＳＬ装置４０を配置する。これにより、ＶＤＳＬ装置４０の吸気部４１と排気部４２それぞれ独立の室に配置されるようにキャビネット本体１０の内部を吸気室１３０と排気室１４０の２つの部分に分ける。
【００４３】
これにより、空気がキャビネット２００の内部で循環することがなく、熱を素早く外部へ排出することができ、内部温度の上昇を抑制することができる。そのため、収納される機器は温度上昇により正常に動作できなくなる問題を解消することができる。
【００４４】
また、吸気通路２０は、クランク形状に形成され、かつ側壁に吸音材２１，２２，２３，２４，２５が設けられ、Ｌ字形の排気通路３０の一部にクランク形状に形成され、かつ側壁に吸音材３１，３２，３３，３４，３５が設けられるので、冷却するための吸排気を行うことができると共に、騒音がキャビネットの吸気口１３および排気口１４から外部に漏れることを抑制することができる。
【００４５】
また、吸排気手段としては、ファン８０を用いることで、内部に冷却ファンを有しない機器の場合好適である。また、排気口１４に排気ファンを設けずに、冷却を行うことができ、排気ファンによる排気騒音の発生を回避することができる。
【００４６】
以下、本発明の第３の実施の形態のキャビネット３００について説明する。
図７は、第３の実施の形態のキャビネット３００の構成を示す斜視図である。この図７は、隔離板６０を開けた状態を示している。図８は、キャビネット３００の構成を示すＤ−Ｄ断面図である。
【００４７】
図７、図８に示すように、キャビネット３００は、キャビネット本体１０と、扉１１と、仕切手段１２ａ，１２ｂと、吸気口１３と、排気口１４と、吸気路構成部材１５，１６と、隔離板６０とを備える。この場合、吸排気手段として、ＶＤＳＬ装置４０，４０Ａ内部のファン４３，４３Ａが用いられる。
【００４８】
この場合、２台のＶＤＳＬ装置４０，４０Ａが、開閉可能な隔離板６０を介して重ねて配置されている。図９は、隔離板６０の構成を示す図である。図９（Ａ）は、隔離板６０の平面図で、図９（Ｂ）は、下から見た図である。
【００４９】
図９に示すように、隔離板６０には、蝶番部６１と、取手部６２と、複数の取付用穴６３とが設けられている。また、ＶＤＳＬ装置４０Ａは、図９（Ｂ）に示すように隔離板６０に配置される。
【００５０】
また、図７に示すように、キャビネット本体１０の内部に、仕切手段１２ａ，１２ｂが設けられている。仕切手段１２ａ，１２ｂの間に、ＶＤＳＬ装置４０を配置する。これにより、ＶＤＳＬ装置４０の吸気部４１と排気部４２それぞれ独立の室に配置されるようにキャビネット本体１０の内部を吸気室１３０と排気室１４０の２つの部分に分ける。
【００５１】
扉１１は、蝶番Ｂを介してキャビネット本体１０に開閉可能に配置される。扉１１の内側に吸音材１１ａが、貼り付けられている。また、キャビネット３００の底面には、上述した図２に示すように、電源ケーブル、通信用ケーブル等を引き込む用穴１９ａ，１９ｂ，１９ｃも設けられている。
【００５２】
ＶＤＳＬ装置４０，４０Ａを冷却する際に、ＶＤＳＬ装置４０，４０Ａのファン４３，４３Ａにより、冷却空気は吸気口１３より吸い込まれ、吸気通路２０を経由して、ＶＤＳＬ装置４０，４０Ａの吸気部４１からＶＤＳＬ装置４０，４０Ａの内部に入り、排気部４２より排出され、排気通路３０，３０Ａを通過して排気口１４より排出される。
【００５３】
このように本実施の形態においては、キャビネット３００は、キャビネット本体１０と、扉１１と、仕切手段１２ａ，１２ｂと、吸気口１３と、排気口１４と、吸気路構成部材１５，１６と、隔離板６０とから構成され、仕切手段１２ａ，１２ｂの間に、ＶＤＳＬ装置４０を配置する。これにより、ＶＤＳＬ装置４０の吸気部４１と排気部４２それぞれ独立の室に配置されるようにキャビネット本体１０の内部を吸気室１３０と排気室１４０の２つの部分に分ける。また、２台のＶＤＳＬ装置４０，４０Ａが、開閉可能な隔離板６０を介して重ねて配置されている。
【００５４】
これにより、空気がキャビネット１００の内部で循環することがなく、熱を素早く外部へ排出することができ、内部温度の上昇を抑制することができる。そのため、収納される機器は温度上昇により正常に動作できなくなる問題を解消することができる。
【００５５】
また、吸気通路２０は、クランク形状に形成され、かつ側壁に吸音材２１，２２，２３，２４，２５が設けられ、排気通路３０は、Ｌ字形に形成され、かつ側壁に吸音材３１，３２，３３が設けられるので、冷却するための吸排気を行うことができると共に、騒音がキャビネットの吸気口１３および排気口１４から外部に漏れることを抑制することができる。
【００５６】
また、吸排気手段としては、ＶＤＳＬ装置４０の内部に設けられるファン４３を用いることで、排気口１４に排気ファンを設けずに、冷却を行うことができ、排気ファンによる排気騒音の発生を回避することができる。
【００５７】
また、開閉可能な隔離板６０を設け、２台のＶＤＳＬ装置４０，４０Ａを配置することで、大型集合住宅や複合ビル等への対応が容易にできる。また、内側に配置されるＶＤＳＬ装置４０のメンテナンスを容易に行うことができる。
【００５８】
なお、上述実施の形態においては、発熱性部品を搭載した機器としてのＶＤＳＬ装置４０，４０Ａを収納する場合について説明したが、これに限定されるものではない。他の発熱性部品を搭載した機器を収納する場合にもこの発明を適用できる。
【００５９】
また、上述実施の形態においては、キャビネットの底面に吸気口１３と排気口１４とを設けるものとしたが、これに限定されるものではない。例えば、キャビネットの側面または上面に設けるようにしてもよい。
【００６０】
また、上述実施の形態において、キャビネット１００，２００，３００の内側、吸気通路２０および排気通路３０の側面に吸音材を貼り付けるものとしたが、これに限定されるものではない。キャビネット１００，２００，３００の側壁、仕切手段１２ａ，１２ｂ、および吸気路構成部材１５，１６が吸音性能を有する材料で形成するようにしてもよい。この場合、吸音材の貼付は不要となる。
【産業上の利用可能性】
【００６１】
この発明は、集合住宅や複合ビル等において、光ファイバケーブルを使用する場合、光ファイバケーブルを集合住宅や複合ビル等の共用部分まで配線し、光回線終端装置ＯＮＵと集合型回線終端装置・ＶＤＳＬ装置を介して、各部屋までをＬＡＮケーブルで接続して通信ネットワークを構成する際、ＶＤＳＬ装置を収納すると共に、効率よく冷却する目的に利用できる。
【図面の簡単な説明】
【００６２】
【図１】第１の実施の形態のキャビネット１００の構成を示す斜視図である。
【図２】キャビネット１００の構成を示す図である。
【図３】キャビネット１００の底面を示す図である。
【図４】キャビネット１００の構成を示すＣ−Ｃ断面図である。
【図５】キャビネット本体１０の構成を示す図である。
【図６】第２の実施の形態のキャビネット２００の構成を示す図である。
【図７】第３の実施の形態のキャビネット３００の構成を示す斜視図である。
【図８】キャビネット３００の構成を示すＤ−Ｄ断面図である。
【図９】隔離板６０の構成を示す図である。
【符号の説明】
【００６３】
１０  キャビネット本体
１０ａ  背面板
１０ｂ，１０ｃ，１０ｄ，１０ｅ  側面板
１１  扉
１１ａ，２１，２２，２３，２４，２５，３１，３２，３３，３４，３５，７０  吸音材
１２ａ，１２ｂ  仕切手段
１３  吸気口
１４  排気口
１５，１６  吸気路構成部材
１７ａ，１７ｂ，１７ｃ  取付部
１８，１９  排気路構成部材
２０  吸気通路
３０  排気通路
４０  ＶＤＳＬ装置
４１，４１Ａ  吸気部
４２，４２Ａ  排気部
４３，４３Ａ，８０  ファン
５０  光回線終端装置ＯＮＵ
６０  隔離板
６１  蝶番部
６２  取手部
６３  取付用穴
１００，２００，３００  キャビネット
１３０  吸気室
１４０  排気室
１２０ａ，１２０ｂ，１５０，１６０  固定具
５０１，５０２，５０３，５０４  取付用穴
【図１】
2007227686.tif 000003
【図２】
2007227686.tif 000004
【図３】
2007227686.tif 000005
【図４】
2007227686.tif 000006
【図５】
2007227686.tif 000007
【図６】
2007227686.tif 000008
【図７】
2007227686.tif 000009
【図８】
2007227686.tif 000010
【図９】
2007227686.tif 000011